(57)【特許請求の範囲】
【請求項１】
ユーザ機器と通信を行なう基地局における送信方法であって、
前記ユーザ機器に対するダウンリンクデータシンボルに対するレイヤの数と、ＤＭＲＳのアンテナポートとを示す１つのビット情報を前記ユーザ機器に対して通知する工程と、
前記レイヤの数のみに応じて決まる前記ダウンリンクデータシンボルのＥＰＲＥと前記ＤＭＲＳのＥＰＲＥとの電力比に基づいて、前記ダウンリンクデータシンボルおよび前記ＤＭＲＳを前記アンテナポートで送信する工程と、
を含むことを特徴とする送信方法。
【請求項２】
基地局と通信を行なうユーザ機器における受信方法であって、
前記ユーザ機器に対するダウンリンクデータシンボルに対するレイヤの数と、ＤＭＲＳのアンテナポートとを示す１つのビット情報を前記基地局から受信する工程と、
前記レイヤの数のみに応じて０ｄＢまたは３ｄＢに決まる電力比に基づいて送信された前記ダウンリンクデータシンボルおよび前記ＤＭＲＳを前記基地局から受信する工程と、
を含むことを特徴とする受信方法。
【請求項３】
ユーザ機器と通信を行なう基地局であって、
前記ユーザ機器に対するダウンリンクデータシンボルに対するレイヤの数と、ＤＭＲＳのアンテナポートとを示す１つのビット情報を前記ユーザ機器に対して通知する手段と、
前記レイヤの数のみに応じて決まる前記ダウンリンクデータシンボルのＥＰＲＥと前記ＤＭＲＳのＥＰＲＥとの電力比に基づいて、前記ダウンリンクデータシンボルおよび前記ＤＭＲＳを前記アンテナポートで送信する手段と、
を含むことを特徴とする基地局。
【請求項４】
基地局と通信を行なうユーザ機器におけるユーザ機器であって、
前記ユーザ機器に対するダウンリンクデータシンボルに対するレイヤの数と、ＤＭＲＳのアンテナポートとを示す１つのビット情報を前記基地局から受信する手段と、
前記レイヤの数のみに応じて０ｄＢまたは３ｄＢに決まる電力比に基づいて送信された前記ダウンリンクデータシンボルおよび前記ＤＭＲＳを前記基地局から受信する手段と、
を含むことを特徴とするユーザ機器。
【請求項５】
前記アンテナポートで送信された前記ダウンリンクデータシンボルおよび前記ＤＭＲＳを受信することを特徴とする請求項２に記載の受信方法。
【請求項６】
前記アンテナポートで送信された前記ダウンリンクデータシンボルおよび前記ＤＭＲＳを受信することを特徴とする請求項４に記載のユーザ機器。
【請求項７】
前記ビット情報には、前記ダウンリンクデータシンボルに対するレイヤの数を示す第１の情報と前記ＤＭＲＳのアンテナポートを示す第２の情報によって構成されるテーブルのインデックスがセットされることを特徴とする請求項１に記載の送信方法。
【請求項８】
前記インデックスは、前記第１の情報の値と前記第２の情報の値の両方に基づいて設定されることを特徴とする請求項７に記載の送信方法。
【請求項９】
前記ビット情報を介して、前記ダウンリンクデータシンボルに対するレイヤの数を示す第１の情報と前記ＤＭＲＳのアンテナポートを示す第２の情報によって構成されるテーブルのインデックスを検出することを特徴とする請求項２に記載の受信方法。
【請求項１０】
前記インデックスに基づいて、前記第１の情報の値と前記第２の情報の値を設定することを特徴とする請求項９に記載の受信方法。
【請求項１１】
前記ビット情報には、前記ダウンリンクデータシンボルに対するレイヤの数を示す第１の情報と前記ＤＭＲＳのアンテナポートを示す第２の情報によって構成されるテーブルのインデックスがセットされることを特徴とする請求項３に記載の基地局。
【請求項１２】
前記インデックスは、前記第１の情報の値と前記第２の情報の値の両方に基づいて設定されることを特徴とする請求項１１に記載の基地局。
【請求項１３】
前記ビット情報を介して、前記ダウンリンクデータシンボルに対するレイヤの数を示す第１の情報と前記ＤＭＲＳのアンテナポートを示す第２の情報によって構成されるテーブルのインデックスを検出することを特徴とする請求項４に記載のユーザ機器。
【請求項１４】
前記インデックスに基づいて、前記第１の情報の値と前記第２の情報の値を設定することを特徴とする請求項１３に記載のユーザ機器。
【発明の詳細な説明】
【技術分野】
【０００１】
本発明は、携帯電話通信システムに関し、特に、ダウンリンクビーム形成技術を使用する通信システムにおけるダウンリンク送信電力の割り当て方法に関する。これにより、復調参照信号（ＤＭＲＳ：Ｄｅｍｏｄｕｌａｔｉｏｎ  Ｒｅｆｅｒｅｎｃｅ  Ｓｉｇｎａｌ）に対するリソース割り当ての通知方法が提供される。
【背景技術】
【０００２】
従来のＬＴＥシステムの設計では、ユーザ機器（ＵＥ：Ｕｓｅｒ  Ｅｑｕｉｐｍｅｎｔ）でのダウンリンクの受信は、セル固有参照信号（ＣＲＳ：Ｃｅｌｌ  ｓｐｅｃｉｆｉｃ  Ｒｅｆｅｒｅｎｃｅ  Ｓｉｇｎａｌ）に基づくチャネル評価（ｃｈａｎｎｅｌ  ｅｓｔｉｍａｔｉｏｎ）およびシンボル検出（ｓｙｍｂｏｌ  ｄｅｔｅｃｔｉｏｎ）によって行われていた。ＣＲＳはセル内のＵＥ間で共通の参照信号であるため、チャネル評価およびシンボルの復調がＵＥ側で行われるように、ＵＥにおけるダウンリンクデータ送信電力の割り当てやプレコーディングなどの処理を示す信号は、ＵＥに送信される必要がある。しかしながら、これによって、マルチユーザＭＩＭＯスケジューリングや電力割り当てに不都合が生じる。
【０００３】
ＩＭＴ−Ａｄｖａｎｃｅｄ（例えば、ＬＴＥ−Ａｄｖａｎｃｅｄ）技術に関する技術研究や規格の議論において、ビーム形成技術が導入されている。そのなかで、ＵＥは、チャネル評価およびシンボル検出のための専用ＤＭＲＳを用いており、ダウンリンク伝送性能を改善するために、ユーザデータおよびＤＭＲＳの両方で同様のプレコーディング処理が行われている。
【０００４】
ＤＭＲＳは前記データと同様の処理に供されるが、ＤＭＲＳを使用することにより、基地局（ｅＮＢ）のＵＥに対する電力割り当て（Ｐｏｗｅｒ  Ａｌｌｏｃａｔｉｏｎ）、プレコーディング（Ｐｒｅｃｏｄｉｎｇ）、およびスケジューリング（Ｓｃｈｅｄｕｌｉｎｇ）はより柔軟性（Ｆｌｅｘｉｂｉｌｉｔｙ）を有するようになる。ダウンリンクデータの電力とＤＭＲＳの電力との間である一定のオフセットが維持され、基地局は、電力割り当て情報の信号を送信する必要がなくなる。ＬＴＥ／ＬＴＥ−Ａｄｖａｎｃｅｄシステムについては、データの電力スペクトル密度（ＰＳＤ：Ｐｏｗｅｒ  Ｓｐｅｃｔｒａｌ  Ｄｅｎｓｉｔｙ）とＤＭＲＳの電力スペクトル密度との間で一定のオフセットが維持される。一方、あるＤＭＲＳの設計では、例えば周波数分割多重（ＦＤＭ：Ｆｒｅｑｕｅｎｃｙ  Ｄｉｖｉｓｉｏｎ  Ｍｕｌｔｉｐｌｅｘｉｎｇ）および符号分割多重（ＣＤＭ：Ｃｏｄｅ  Ｄｉｖｉｓｉｏｎ  Ｍｕｌｔｉｐｌｅｘｉｎｇ）などの複数の多重方法があり、ＤＭＲＳの電力とダウンリンクデータの電力との間で一定のオフセットを維持することは困難である。それゆえ、基地局は今もなお、ＤＭＲＳとダウンリンクデータとの電力割合をＵＥに送信する必要があり、マルチユーザ多重入力多重出力（ＭＵ−ＭＩＭＯ）モードにおけるマルチユーザ電力割り当てに多大な不都合をもたらしている。
【０００５】
さらに、シングルユーザ多重入力多重出力（ＳＵ−ＭＩＭＯ）およびＭＵ−ＭＩＭＯを実現するために、専用ＤＭＲＳの使用によって、ＤＭＲＳのシステムオーバヘッドがチャネルリソース上の多重化されたレイヤの数に応じて多様に変化する。従って、様々な数の多重レイヤごとに、ＵＥは、対応するＤＭＲＳリソース情報を取得し、かつ、対応するチャネル評価方法を用いる必要がある。ＭＵ−ＭＩＭＯ処理モードにおいて、個々のＵＥによって使用される様々なＤＭＲＳリソースにより、その組み合わせが膨大になり、ダウンリンクにおけるシステム信号オーバヘッドが増大する。
【０００６】
上記に照らして、固定化されたＤＭＲＳ電力オフセットに基づくＤＭＲＳリソース割り当ての通知方法の解決手法が提供される。この通知方法によって、システムにおける電力割り当てのシグナリングオーバヘッドを軽減し、電力増幅効率を改善し、また、システムスケジューリングの柔軟性を高めることが可能となる。また、ＤＭＲＳに対するアンテナポートリソース割り当ての通知方法も提供される。
【発明の概要】
【０００７】
順応性のある電力割り当てを実現するために、ＤＭＲＳおよびデータの電力の間で一定のオフセットが維持される。空間多重化に伴う全てのレイヤに対するＤＭＲＳは、同一の電力オフセットを有する。チャネルランクは、ある一定数のＤＭＲＳ信号に対応する。異なる数のＤＭＲＳに対しては、例えばＣＤＭ、ＦＤＭ、およびそれらの組み合わせなど、ＤＭＲＳ多重化に対する異なるアプローチがありうる。それゆえ、ある特定のチャネルランクは、特定のＤＭＲＳ分散パターン、および、対応する電力オフセットパラメータに対応する。
【０００８】
ＵＥは、信号送信によって、チャネルランク、ＤＭＲＳ分散パターン、または、現在のシステムのＤＭＲＳアンテナポートに対する設定情報を取得し、チャネル評価および復調を行う。さらに、ＭＵ−ＭＩＭＯモードにおけるＵＥは、マルチユーザ干渉を抑制またはキャンセルするために、他のＵＥに対するＤＭＲＳ割り当て情報を検出することができる。
【０００９】
本発明の一実施形態によると、復調参照信号（ＤＭＲＳ）に対するリソース割り当ての通知方法が提供される。この方法は、基地局からユーザ機器へ、データシンボルに対する平均ＥＰＲＥ（Ｅｎｅｒｇｙ  Ｐｅｒ  Ｒｅｓｏｕｒｃｅ  Ｅｌｅｍｅｎｔ）値と各レイヤにおけるＤＭＲＳに対する平均ＥＰＲＥ値との電力オフセット値を準静的もしくは静的に通知する工程と、前記基地局から前記ユーザ機器へ、当該ユーザ機器に対する現在のチャネルランクもしくは現在のＤＭＲＳ分散パターンを動的に通知する工程と、前記ユーザ機器によって、受信したチャネルランクとＤＭＲＳアンテナポートの割り当てとの対応に基づいて割り当てられたＤＭＲＳアンテナポートが決定される工程と、を含み、それにより前記ＤＭＲＳに対するリソース割り当て情報が取得される。
【００１０】
好ましくは、前記基地局は、個別のユーザ機器に対して、マルチユーザ多重入力多重出力（ＭＵ−ＭＩＭＯ）モードで、互いに異なる電力オフセット値を通知し、前記基地局は、個別のユーザ機器に対して、シングルユーザ多重入力多重出力（ＳＵ−ＭＩＭＯ）モードで、前記レイヤそれぞれに対して同一の電力オフセット値を通知し、もしくは、前記基地局は、個別のユーザ機器に対して、ハイブリッドＳＵ−ＭＩＭＯ／ＭＵ−ＭＩＭＯモードで、個別のユーザ機器に対しては互いに異なるが、同一のユーザ機器の前記レイヤそれぞれに対しては同一である電力オフセット値を通知する。
【００１１】
好ましくは、前記基地局は、前記ユーザ機器に対して、前記ＤＭＲＳ分散パターン、割り当てられたＤＭＲＳアンテナポートの開始番号、および現在のチャネルランク、または、レイヤ数を動的に通知する。この場合、前記ユーザ機器は、通知された、前記ＤＭＲＳ分散パターン、割り当てられたＤＭＲＳアンテナポートの前記開始番号、および現在の前記チャネルランク、または、前記レイヤ数に基づいて、割り当てられた前記ＤＭＲＳアンテナポートを決定し、それにより前記ＤＭＲＳに対する前記リソース割り当て情報を取得する。
【００１２】
より好ましくは、前記基地局は、順次、前記ＤＭＲＳアンテナポートの番号（またはインデックス）を割り当てる。
【００１３】
好ましくは、前記基地局は、前記ユーザ機器に対して、前記ＤＭＲＳ分散パターン（ＤＭＲＳ分散配置パターン）、および、前記ＤＭＲＳアンテナポートの前記割り当てに関連付けられたビット情報を動的に通知する。この場合、前記ユーザ機器は、通知された、前記ＤＭＲＳ分散パターン、および、前記ビット情報に基づいて、割り当てられた前記ＤＭＲＳアンテナポートを決定し、かつ、割り当てられた前記アンテナポートの総数に基づいて、前記ユーザ機器に対する現在の前記チャネルランクまたは前記レイヤの数を決定し、それにより前記ＤＭＲＳに対する前記リソース割り当て情報を取得する。
【００１４】
好ましくは、前記基地局は、前記ユーザ機器に対して、当該ユーザ機器に対する、前記ＤＭＲＳ分散パターン、および現在の前記チャネルランク、または、前記レイヤの数を動的に通知する。この場合、前記ユーザ機器は、通知された、前記ユーザ機器に対する、前記ＤＭＲＳ分散パターン、および現在の前記チャネルランク、または、前記レイヤの数に基づいて、割り当てられた前記ＤＭＲＳアンテナポートを決定し、また、前記ユーザ機器は、当該ユーザ機器自身に関連付けられた識別情報から決定される前記ＤＭＲＳアンテナポートの開始番号を決定し、それにより前記ＤＭＲＳに対するリソース割り当て情報を取得する。
【００１５】
より好ましくは、前記基地局は、順次、前記ＤＭＲＳアンテナポートの番号を割り当てる。
【００１６】
より好ましくは、前記ＤＭＲＳアンテナポートの前記開始番号は、前記基地局と前記ユーザ機器との間で共有されるマッピング関数を前記ユーザ機器自身に関連付けられた前記識別情報に適用することによって取得される。
【００１７】
好ましくは、前記基地局は、前記ユーザ機器に対して、共有されるＤＭＲＳ割り当て設定テーブル内のインデックス番号を動的に通知する。この場合、前記ユーザ機器は、割り当てられた前記ＤＭＲＳアンテナポートおよび前記基地極によって送信された前記レイヤの総数を決定するために、前記インデックス番号に基づいて、共有される前記ＤＭＲＳ割り当て設定テーブルを問い合わせ、それにより前記ＤＭＲＳに対するリソース割り当て情報を取得する。
【００１８】
好ましくは、全ての前記ユーザ機器の全ての周波数帯域に対して、前記基地局から全ての前記ユーザ機器に対して送信された前記レイヤの総数の最大値はＲｍａｘであり、前記基地局から個々の前記ユーザ機器に対して通知された総ランクまたは前記レイヤの総数ＲはＲｍａｘの値を取り、前記基地局が前記ユーザ機器に対してＤＭＲＳ分散パターンを通知すると、当該ＤＭＲＳ分散パターンはＲｍａｘに対応する。
【００１９】
好ましくは、何れのチャネルランクも、唯一のＤＭＲＳ分散パターンに対応し、何れのＤＭＲＳ分散パターンも、少なくとも一つのチャネルランクに対応する。
【００２０】
好ましくは、前記ユーザ機器は、自身の周波数帯域において、前記ＤＭＲＳアンテナポートが他のユーザ機器に割り当てられているか否かを判断するために、自身の未使用のＤＭＲＳアンテナポートの受信電力または相関関係を検出し、ＤＭＲＳアンテナポートが他のユーザ機器に割り当てられていると判断されたとき、前記ユーザ機器は、前記ＤＭＲＳアンテナポートに対応する前記他のユーザ機器からの干渉を抑制またはキャンセルするために、前記ＤＭＲＳアンテナポートにおけるチャネル評価を行う。
【００２１】
上記に加え、さらなる目的、構成、利点は、図面、および下記の本発明の実施形態の記載からより明確になるであろう。
【図面の簡単な説明】
【００２２】
【図１】従来のＬＴＥシステム（３ＧＰＰ  ＴＳ３６．２１１参照）のスロット構造を説明する模式図である。
【図２】チャネルランク（レイヤの総数）がＲ≦２である場合のＤＭＲＳ分散パターンの具体例を説明する模式図である。
【図３】チャネルランク（レイヤの総数）が２＜Ｒ≦４である場合のＤＭＲＳ分散パターンの具体例を説明する模式図である。
【図４】チャネルランク（レイヤの総数）が４＜Ｒ≦８である場合のＤＭＲＳ分散パターンの具体例を説明する模式図である。
【図５】チャネルランク（レイヤの総数）が４＜Ｒ≦８である場合のＤＭＲＳ分散パターンの他の具体例を説明する模式図である。
【図６】チャネルランク（レイヤの総数）が４＜Ｒ≦８である場合のＤＭＲＳ分散パターンのさらに他の具体例を説明する模式図である。
【図７】同図は、次を示す図である。
【数１】
0005968997.tif 000002
【図８】同図は、次を示す図である。
【数２】
0005968997.tif 000003
【図９】同図は、次を示す図である。
【数３】
0005968997.tif 000004
【図１０】同図は、次を示す図である。
【数４】
0005968997.tif 000005
【図１１】チャネルランクＲ、ＤＭＲＳ分散パターンおよびΔＲの関係を説明する模式図である。
【図１２】Ｒ＝２および電力オフセット＝０ｄＢである場合の、ＰＤＭＲＳ＿ｉとＰｉとの相対振幅を説明する模式図である。
【図１３】Ｒ＝３および電力オフセット＝０ｄＢである場合の、ＰＤＭＲＳ＿ｉとＰｉとの相対振幅を説明する模式図である。
【図１４】ＤＭＲＳアンテナポートの割り当てを説明する模式図である。
【図１５】ＤＭＲＳアンテナポートの割り当てを説明する他の模式図である。
【図１６】ＤＭＲＳアンテナポートの割り当てを説明する他の模式図である。
【図１７】ＤＭＲＳアンテナポートの割り当てを説明する他の模式図である。
【図１８】ＭＵ−ＭＩＭＯ形式における個々のユーザのチャネルリソースが互いに完全に重複しない場合の、ＤＭＲＳ分散パターンおよびＤＭＲＳアンテナポートの割り当てを説明する模式図である。
【発明を実施するための形態】
【００２３】
本発明の実施方法をより詳細に説明するために、本発明の幾つかの特定の実施形態を説明する。これらの実施形態は、ダウンリンク上の専用ＤＭＲＳ（Ｄｅｄｉｃａｔｅｄ  ＤＭＲＳ）を利用した携帯電話通信システム（特に、ＬＴＥ−Ａｄｖａｎｃｅｄ携帯電話通信システム）に対するものである。しかしながら、本発明は、これらのアプリケーションに限定されるものではなく、他の関連する通信システムにも適用することができる。
【００２４】
以下では、図を参照して、本発明の好ましい実施形態を詳述する。本実施形態において、本発明の理解を不明瞭にしないために、本発明に必要でない詳細および機能は記載を省略する。
【００２５】
ＬＴＥシステムにおいて、ユーザ機器（ＵＥ）は、チャネル評価および復調のためにセル固有参照信号（ＣＲＳ）を要求される。ＣＲＳのスロット構造は図１に示される（より詳しくは、３ＧＰＰ  ＴＳ３６．２１１参照）。ＬＴＥと対照的に、ＬＴＥ−Ａｄｖａｎｃｅｄシステム内のＵＥは、主に復調参照信号（ＤＭＲＳ）のプレコーディングによってチャネル評価およびシンボル検出を行う。ダウンリンク上では、ＵＥは、以下の３つのモードのうちの１つである。
【００２６】
・全てのレイヤが同じＵＥに属するＳＵ−ＭＩＭＯモード
・各レイヤが異なるＵＥに属するＭＵ−ＭＩＭＯモード、および
・同一の時間−周波数チャネルリソースが複数のＵＥの間で多重化されており、少なくとも１つのＵＥがＳＵ−ＭＩＭＯモードである、ハイブリッドＳＵ−ＭＩＭＯ／ＭＵ−ＭＩＭＯモード
所与のリソースを介してシステムから送信された全てのＵＥに対するレイヤの総数（チャネルランク）がＲであり、同じチャネルリソースを介してシステムからＵＥに対して送信されたレイヤの数がｒであり、基地局のアンテナの数がＭ（例えばＭ＝８）であり、ＵＥ側の受信アンテナの数がＭである場合、ｒ≦Ｒ、Ｒ≦Ｍである。ＵＥがＳＵ−ＭＩＭＯモードである場合に限り、この場合は上記システムに同時に扱われるＵＥの数は１であるが、ｒ＝Ｒである。
【００２７】
参照信号のオーバヘッドを軽減するために、異なるＲ値が、ＤＭＲＳの異なる多重方法に対応する。表１は、異なるＲ値に対するＤＭＲＳに用いられる、異なる多重方法を示す。
【００２８】
【表１】
0005968997.tif 000006
【００２９】
表１に対応して、図２は、Ｒ≦２である場合のＤＭＲＳ分散パターンの具体例を示す。このパターン（表１のＮｏ．１、Ｎｏ．４、Ｎｏ．５およびＮｏ．７からＮｏ．９）において、異なるレイヤに対応するＤＭＲＳがＣＤＭ方式で識別される。この場合、符号長は２であり、各ＤＭＲＳに使用される長さ２の直交シーケンスは拡張され、２つのリソースエレメント（ＲＥ：Ｒｅｓｏｕｒｃｅ  Ｅｌｅｍｅｎｔ）にマッピングされる。
【００３０】
図３は、２＜Ｒ≦４である場合のＤＭＲＳ分散パターンの具体例を示す。このパターン（表１のＮｏ．２およびＮｏ．６）において、異なるレイヤに対応するＤＭＲＳが、ＣＤＭ方式およびＦＤＭ方式で識別される。この場合、符号長は２であり、各ＤＭＲＳに使用される長さ２の直交シーケンスは拡張され、２つのリソースエレメント（ＲＥｓ）にマッピングされる。
【００３１】
図４から図６は、４＜Ｒ≦８（表１のＮｏ．３）である場合のＤＭＲＳ分散パターンの３つの具体例を示す。
【００３２】
図４に示されるスキーム１のパターンにおいて、異なるレイヤに対応するＤＭＲＳが、ＣＤＭ方式およびＦＤＭ方式で識別される。この場合、符号長は４であり、各ＤＭＲＳに使用される長さ４の直交シーケンスは拡張され、４つのリソースエレメント（ＲＥｓ）にマッピングされる。
【００３３】
図５に示されるスキーム２のパターンにおいて、異なるレイヤに対応するＤＭＲＳがＣＤＭ方式で識別される。この場合、符号長は８であり、各ＤＭＲＳに使用される長さ８の直交シーケンスは拡張され、８つのリソースエレメント（ＲＥｓ）にマッピングされる。
【００３４】
図６にスキーム３として示されるパターンにおいて、異なるレイヤに対応するＤＭＲＳが、ＣＤＭ方式およびＦＤＭ方式で識別される。この場合、符号長は４であり、各ＤＭＲＳに使用される長さ４の直交シーケンスは拡張され、４つのリソースエレメント（ＲＥｓ）にマッピングされる。このパターンは、図４のスキーム１のパターンと、基地局からＵＥに対して割り当てられるリソースブロックの数が等しいことを要求される点において相違する。
＜電力割り当ておよび電力オフセット＞
基地局は、異なる送信電力を、ＳＵ−ＭＩＭＯモードのＵＥの各レイヤのデータに対して、もしくは、ＭＵ−ＭＩＭＯモードの各ＵＥに対して、理想的かつ動的に割り当てることができる。このような動的な電力調整は、チャネル変動に対して効果的に適用でき、これによりスペクトル効率が向上する。シグナリングオーバヘッドを軽減しつつ動的な電力割り当てを達成するには、ＤＭＲＳの送信電力と対応するデータの送信電力とを一定の割合に維持しなければならない。決定された一定の割合で、ＤＭＲＳのチャネル評価の結果に基づくシンボル検出を行える。また、ＤＭＲＳおよびデータシンボルの送信電力の同期調整を動的に実現することができる。さらに、ＤＭＲＳに対して複数の多重方法（例えばＦＤＭ、ＣＤＭなど）が存在するため、ＤＭＲＳのリソースエレメントごとの電力（ＥＰＲＥ）は、多重方法ごとに異なる。要約すると、各レイヤのデータの送信電力の決定後、基地局は、各レイヤのＤＭＲＳに対するＥＰＲＥを、ＤＭＲＳの多重方法、および、各レイヤのＤＭＲＳの送信電力と対応するレイヤのデータシンボルの送信電力との割合に基づいて決定する。
【００３５】
所与のチャネルランクＲを用いて、そのランクＲに応じて、ＤＭＲＳ分散パターンおよびＤＭＲＳ多重方法が決定されうる。異なるチャネルランクＲは、全てのレイヤに対して、ＵＥの帯域幅の使用に関し、異なるＤＭＲＳ分散パターンおよび異なるオーバヘッドを意味する。所与のチャネルランクＲによって、ＤＭＲＳが一定量の時間−周波数チャネルリソースを占めるため、各ＤＭＲＳの送信電力と、対応するレイヤのデータシンボルの送信電力との割合は、上記レイヤのＤＭＲＳに対する平均ＥＰＲＥと上記レイヤのデータシンボルに対する平均ＥＰＲＥとの割合に対応する。あるレイヤのＤＭＲＳに対する平均ＥＰＲＥは、上記レイヤの全てのＤＭＲＳのＥＰＲＥの総量と、上記ＵＥに割り当てられた帯域幅内の全てのＤＭＲＳに占められるＲＥの総数との割合に基づく。同様に、あるレイヤのデータに対する平均ＥＰＲＥは、上記レイヤの全てのデータシンボルのＥＰＲＥの総量と、ＵＥに割り当てられた帯域幅内の全てのレイヤに占められるＲＥの総数との割合に基づく。レイヤｉのＤＭＲＳに対する平均ＥＰＲＥは、以下のように定義される。
【００３６】
【数５】
0005968997.tif 000007
【００３７】
ここで、Ｎは、全てのＤＭＲＳに占められるＲＥの数を示す。
【００３８】
【数６】
0005968997.tif 000008
【００３９】
図７に示すように、リソースブロック内のＯＦＤＭシンボルは１２個のＲＥを含み、ＤＭＲＳに使用されるＲＥの総数はＮ＝３であり、多重方法はＣＤＭであり、レイヤｉのＤＭＲＳに対するＥＰＲＥはＰＤＭＲＳ＿ｉである。このとき、平均は以下の式で得られる。
【００４０】
【数７】
0005968997.tif 000009
【００４１】
図８に示すように、リソースブロック内のＯＦＤＭシンボルは１２個のＲＥを含み、ＤＭＲＳに使用されるＲＥの総数はＮ＝６であり、多重方法はＣＤＭおよびＦＤＭであり、レイヤｉのＤＭＲＳに対するＥＰＲＥはＰＤＭＲＳ＿ｉである。このとき、平均は以下の式で得られる。
【００４２】
【数８】
0005968997.tif 000010
【００４３】
図９に示すように、リソースブロック内のＯＦＤＭシンボルは１２個のＲＥを含み、ＤＭＲＳに使用されるＲＥの総数はＮ＝６であり、多重方法はＦＤＭであり、レイヤｉのＤＭＲＳに対するＥＰＲＥはＰＤＭＲＳ＿ｉである。このとき、平均は以下の式で得られる。
【００４４】
【数９】
0005968997.tif 000011
【００４５】
これらの式から、以下のようになる。
【００４６】
【数１０】
0005968997.tif 000012
【００４７】
ここで、ΔＲは、ＤＭＲＳ分散パターンによって決定されるオフセットパラメータであり、各レイヤのＤＭＲＳに対する平均ＥＰＲＥに関して、各ＤＭＲＳのＲＥに対するＥＰＲＥのオフセットを反映する。
【００４８】
以下の平均は、基地局において、各レイヤのデータシンボルに対するＥＰＲＥと、ＤＭＲＳに対する平均ＥＰＲＥとデータシンボルに対する平均ＥＰＲＥとの割合と、に基づいて決定されうる。
【００４９】
【数１１】
0005968997.tif 000013
【００５０】
ここで、電力オフセットは、基地局からＵＥに対して準静的もしくは静的に送信される、各レイヤのデータシンボルに対する平均ＥＰＲＥであるＰｉとＤＭＲＳに対する平均ＥＰＲＥ（α；αは以下の値）との間のオフセットである。
【００５１】
【数１２】
0005968997.tif 000014
【００５２】
ここで、Ｐｉは、レイヤｉのデータシンボルの平均ＥＰＲＥである。従って、ＤＭＲＳに対するＥＰＲＥは、以下の式で示される。
【００５３】
ＰＤＭＲＳ＿ｉ＝ｐｏｗｅｒｏｆｆｓｅｔ＋ΔＲ＋Ｐｉ（ｄＢ）、ｉ＝１、２、・・・ｒ
上式に示すように、電力オフセットおよびΔＲは共に準静的もしくは静的なパラメータであるため、各ＤＭＲＳに対するＥＰＲＥであるＰＤＭＲＳ＿ｉと、対応するレイヤのデータシンボルの電力であるＰｉとの割合を一定に保つことが可能であり、ＰＤＭＲＳ＿ｉは、Ｐｉの状態変化に伴って同期して変動しうる。
＜電力オフセット値＞
電力オフセットは、特に以下の点に対する、ＵＥに関連するパラメータである。
【００５４】
・ＭＵ−ＭＩＭＯモードにおける個別のＵＥ。個別のＵＥは、電力オフセット値が互いに異なる。
【００５５】
・ＳＵ−ＭＩＭＯモードにおけるＵＥ。個別のレイヤは、同じ電力オフセット値を有する。
【００５６】
・ハイブリッドＳＵ−ＭＩＭＯ／ＭＵ−ＭＩＭＯモードにおけるＵＥ。個別のＵＥは、互いに異なる電力オフセット値を有し、同じＵＥに対する個別のレイヤは同じ電力オフセット値を有する。
【００５７】
図９において、ｐｏｗｅｒｏｆｆｓｅｔ＜０ｄＢであり、このことは、ＤＭＲＳに対する平均ＥＰＲＥはデータシンボルに対する平均ＥＰＲＥよりも小さいことを意味する。このことが図９（ａ）に示されている。ＤＭＲＳのＥＰＲＥおよびデータシンボルに対する平均ＥＰＲＥの相対振幅が図９（ｂ）に示されている。
【００５８】
図１０において、ｐｏｗｅｒｏｆｆｓｅｔ＝０ｄＢであり、このことは、ＤＭＲＳに対する平均ＥＰＲＥはデータシンボルに対する平均ＥＰＲＥと等しいことを意味する。このことが図１０（ａ）に示されている。ＤＭＲＳのＥＰＲＥおよびデータシンボルに対する平均ＥＰＲＥの相対振幅が図１０（ｂ）に示されている。
＜ΔＲの算出＞
ＵＥに対して割り当てられた帯域幅における同一のＯＦＤＭシンボルにおいて、各レイヤのＤＭＲＳによって占められるＲＥの総数と上記帯域幅における全てのＤＭＲＳによって占められるＲＥの総数との割合は１／ｆであり、このとき以下になる。
【００５９】
ΔＲ＝１０ｌｏｇｆ
図７に示すように、
ΔＲ＝１０ｌｏｇ１＝０（ｄＢ）である。
【００６０】
また、図８、図９および図１０に示すように、以下になる。
【００６１】
ΔＲ＝１０ｌｏｇ２＝３（ｄＢ）
一般に、データのｒレイヤ（ｒ≧ｆ）は、一つのリソースブロック内で空間的に多重化される。
【００６２】
ｆ＝１のとき、それぞれ空間的に多重化されたデータのレイヤのＤＭＲＳは、図７に示すように、時間−周波数チャネルリソースをＣＤＭ形式で多重化する。
【００６３】
１＜ｆ＜ｒのとき、各レイヤのＤＭＲＳは、ｆのサブキャリア位置に配置される。すなわち、ｒ個のＤＭＲＳは、それぞれが異なるサブキャリアに対応するｆ個のグループに分割される。また、データのそれぞれのレイヤのＤＭＲＳは、図９および図１０に示すように、時間−周波数チャネルリソースをハイブリッドＦＤＭ／ＣＤＭモードで多重化する。
【００６４】
ｆ＝ｒであるとき、全てのＤＭＲＳが、図８に示すように、時間−周波数チャネルリソースをＦＤＭ／ＣＤＭモードで多重化する。
【００６５】
各基地局側およびＵＥ側のアンテナの数がＭ＝８であり、チャネルランクが４＜ｒ≦８を満たすとき、図４−６に示すように、複数のＤＭＲＳ使用モードが存在しうる。
【００６６】
以下、図４および図６に示される。
【００６７】
ΔＲ＝１０ｌｏｇ２＝３（ｄＢ）、ｆ＝２
以下、図５に示される。
【００６８】
ΔＲ＝１０ｌｏｇ１＝０（ｄＢ）、ｆ＝１
図５のシナリオとは対照的に、図６のＤＭＲＳの分散パターンは、基地局によりＵＥに割り当てられるリソースブロック（ＲＢ：Ｒｅｓｏｕｒｃｅ  Ｂｌｏｃｋ）の数が等しいことが要求される。
【００６９】
従って、図１１に示すように、ΔＲにおいて、ランクＲとＤＭＲＳ分散パターンとに対応がありうる。このとき、以下のことが言える。
【００７０】
どのチャネルランクＲも、ある特定のＤＭＲＳ分散パターンに対応する。そのＤＭＲＳ分散パターンは、次に、一以上のチャネルランクＲと対応する。
【００７１】
どのチャネルランクＲも、ある特定のオフセットパラメータΔＲに対応する。そのΔＲは、次に、一以上のチャネルランクＲと対応する。
【００７２】
オフセットパラメータΔＲとＤＭＲＳ分散パターンとの間には１対１の対応関係がある。
【００７３】
図１２は、Ｒ＝２および電力オフセット＝０ｄＢである場合の、ＤＭＲＳのＥＰＲＥとデータシンボルに対するＥＰＲＥとの間の相対振幅を説明する模式図である。
【００７４】
図１３は、Ｒ＝３および電力オフセット＝０ｄＢである場合の、ＤＭＲＳのＥＰＲＥとデータシンボルに対するＥＰＲＥとの間の相対振幅を説明する模式図である。
【００７５】
正しいシンボルを検出するために、基地局は、ＤＭＲＳとデータシンボルとの間の電力オフセット値（電力オフセット）を準静的および静的に通知することが可能である。
＜アンテナポートのマッピングおよびＳＵ−ＭＩＭＯ／ＭＵ−ＭＩＭＯ信号＞
ＤＭＲＳ分散パターンは、表２に示されるように、異なるチャネルランクＲに対する異なるＤＭＲＳの分散パターンに従って、３つのカテゴリーに分類される。３つのＤＭＲＳ分散パターンの相違点は、（１）個々のパターンに対するシステムオーバヘッド、（２）ＤＭＲＳに対する送信方法、（３）ＵＥ側のチャネル評価方法、にある。
【００７６】
【表２】
0005968997.tif 000015
【００７７】
個々のＤＭＲＳに対するアンテナポートは、同一のＤＭＲＳシーケンスを使用するか、もしくは、ＤＭＲＳシーケンスと１対１の対応関係を有する。従って、ＵＥは通常、チャネル評価のために、個々のＤＭＲＳアンテナポートに対してＤＭＲＳシーケンスを取得することができる。
【００７８】
ＵＥは、チャネル評価および信号検出のために必要となる参照信号情報を、以下何れかの信号アプローチ（アプローチ１−５）によって取得することができる。
【００７９】
アプローチ１：基地局は、ＵＥに対して、現在のチャネルランクを示す信号を送信する。チャネルランクとＤＭＲＳアンテナポートの割り当てとに１対１の対応があれば（例えば、表３）、ＵＥは、基地局によって割り当てられた個々のＤＭＲＳアンテナポートおよび対応するＤＭＲＳシーケンスを決定することができる。
【００８０】
【表３】
0005968997.tif 000016
【００８１】
例えば、基地局から現在のチャネルランクＲ＝３を取得したとき、ＵＥは、表３を参照して、基地局がＵＥに対して割り当てるＤＭＲＳアンテナポートは｛０，１，２｝であると決定することができる。
【００８２】
アプローチ２：基地局は、ＵＥに対して、現在のＤＭＲＳ分散パターン、割り当てられたＤＭＲＳアンテナポートの開始番号、およびＵＥに対する現在のチャネルランク（もしくはレイヤ数）を送信する。これにより、ＵＥは、現在割り当てられているＤＭＲＳアンテナポートを決定する。このアプローチにおいて、基地局は、順次、ＵＥに対してＤＭＲＳアンテナポートの番号を割り当てる。
【００８３】
あるいは、基地局は、現在ＵＥによって使用されている、チャネルリソースを介して送信されるレイヤの総数を示す信号を送信する。これにより、ＵＥは、ＤＭＲＳ分散パターンを決定することができる。
【００８４】
図１４について説明する。例えば、基地局は、現在のＤＭＲＳ分散パターンが２であり（アンテナポート番号｛０，１，２，３｝に対応）、現在のＤＭＲＳアンテナポートの開始番号は１であり、ＵＥに対する現在のチャネルランク（もしくはレイヤ数）が２であることを示す信号を送信する。これにより、ＵＥは、割り当てられたＤＭＲＳアンテナポートが｛１，２｝であると決定することができる。この場合、ＵＥはハイブリッドＳＵ−ＭＩＭＯ／ＭＵ−ＭＩＭＯモードにある、と判定されうる。他の例として、図１５を参照して、基地局は、現在のＤＭＲＳ分散パターンが３（アンテナポート番号｛０，１，２，３，４，５，６，７｝に対応）であり、現在のＤＭＲＳアンテナポートの開始番号は１であり、ＵＥに対する現在のチャネルランク（もしくはレイヤ数）が５であることを示す信号を送信する。これにより、ＵＥは、割り当てられたＤＭＲＳアンテナポートが｛１，２，３，４，５｝であると決定することができる。
【００８５】
アプローチ３：基地局は、ＵＥに対して、現在のＤＭＲＳ分散パターン、および、そのパターンにおける各ＤＭＲＳアンテナポートの割り当てに関連するビット情報を示す信号を送信する。これにより、ＵＥは、現在割り当てられているＤＭＲＳアンテナポートを決定し、次に、割り当てられたアンテナポートの数に基づいて、ＵＥに対する現在のチャネルランク（もしくはレイヤ数）ｒを決定する。
【００８６】
このアプローチにおいて、基地局は、ＵＥに対するＤＭＲＳアンテナポートの番号を任意に割り当てることができる。ここで、各アンテナポートは、ビット識別子を使用する。
【００８７】
あるいは、基地局は、現在ＵＥによって使用されている、チャネルリソースを介して送信されるレイヤの総数を示す信号を送信する。これにより、ＵＥは、ＤＭＲＳ分散パターンを決定することができる。
【００８８】
図１６について説明する。例えば、基地局は、現在のＤＭＲＳ分散パターンが２であり（ここで、それぞれのアンテナポートに対する割り当てを特定するために４ビットが用いられる）、アンテナポートの割り当てのためのビット情報が１００１である（ここで、“０”は割り当てられていないポート、“１”は割り当てられたポートを示す）ことを示す信号を送信する。これにより、ＵＥは、割り当てられたＤＭＲＳアンテナポートが｛０，３｝であり、ＵＥ自身のチャネルランクがｒ＝２であると決定する。
【００８９】
アプローチ４：基地局は、ＵＥに対して、現在のＤＭＲＳ分散パターン、および、ＵＥに対する現在のチャネルランク（もしくはレイヤ数）を示す信号を送信する。この場合、ＵＥは、ＵＥ自身と関連付けられた識別子に基づいて、ＤＭＲＳアンテナポートの開始番号を演算し、現在割り当てられているＤＭＲＳアンテナポートを決定する。このアプローチにおいて、基地局は、順次、ＵＥに対して、ＤＭＲＳアンテナポートの番号を割り当てる。
【００９０】
あるいは、基地局は、現在ＵＥによって使用されている、チャネルリソースを介して送信されるレイヤの総数を示す信号を送信する。これにより、ＵＥは、ＤＭＲＳ分散パターンを決定することができる。
【００９１】
図１７を参照して、例えば、基地局は、現在のＤＭＲＳ分散パターンが２であり（アンテナポート番号｛０，１，２，３｝に対応）、現在のＤＭＲＳアンテナポートの開始番号は２であることを示す信号を送信する。この場合、ＵＥは、自身のＲＮＴＩ（Ｒａｄｉｏ  Ｎｅｔｗｏｒｋ  Ｔｅｍｐｏｒａｒｙ  Ｉｄｅｎｔｉｆｉｅｒ）に基づいて、ＤＭＲＳアンテナポートの開始番号が１であると演算する（例えば、ＵＥのＲＮＴＩは００３Ａ（ｈｅｘ）であり、関数Ｆ（００３Ａ）として関数によってマッピングされる。ここで、Ｆは、基地局とＵＥとの間で共有されるマッピング関数である。）。これにより、ＵＥは、割り当てられたＤＭＲＳアンテナポートを｛１，２｝と決定する。同時に、ＵＥはハイブリッドＳＵ−ＭＩＭＯ／ＭＵ−ＭＩＭＯモードにあると判定されうる。
【００９２】
アプローチ５：基地局は、ＤＭＲＳ割り当て設定テーブルをＵＥと共有し、ＵＥに対して、上記テーブル中のＤＭＲＳアンテナポート設定に対するインデックス番号を送信する。この場合、ＵＥは、インデックス番号に基づいて上記テーブルを問い合わせ、特定のＤＭＲＳアンテナポート設定情報、ＵＥ（もしくはＵＥのランク）に対してシステムにより送信されたレイヤ数、および、ＵＥによって使用されるチャネルリソースを介してシステムにより送信されるレイヤの総数を決定する。
【００９３】
例えば、以下の表４は、ＳＵ−ＭＩＭＯモード、ＭＵ−ＭＩＭＯモード、およびそれらのハイブリッドに対する全ての可能性を組み込んだＤＭＲＳアンテナポート設定テーブルである。可能な組み合わせの数は、表４のアイテムを減らすために、ある制約を加えることで大幅に低減することができる。例えば、制約には以下が含まれる。
【００９４】
・ハイブリッドＳＵ−ＭＩＭＯ／ＭＵ−ＭＩＭＯモードの各ＵＥは、最大で２つのレイヤが多重化される。
【００９５】
・ＭＵ−ＭＩＭＯもしくはハイブリッドＳＵ−ＭＩＭＯ／ＭＵ−ＭＩＭＯモードにおいて、最大で４つのＵＥが存在する。
【００９６】
以下の表４は、上記２つの制約（もしくは、これら２つの何れか、もしくは、他の制約）から得られる。ＤＭＲＳアンテナポートによって使用される実際の物理的な時間−周波数リソースは、各ＤＭＲＳアンテナポートと物理的な時間−周波数リソースとの間のマッピングに依存する。
【００９７】
表４（ａ）の総チャネルランクは、ＵＥにより使用されている時間−周波数チャネルリソース上で多重化された、全てのユーザに対するレイヤの総数を示す。
【００９８】
表４（ａ）は、総チャネルランク、およびＵＥに対するＤＭＲＳアンテナポート設定を含む情報テーブルである。このテーブルにより、ＵＥは、自身の現在のチャネルランクｒ、総チャネルランクＲ、およびＤＭＲＳアンテナポートに対する特定のリソース割り当て情報を決定することができる。
【００９９】
表４（ｂ）は、ＤＭＲＳ分散パターン、およびＵＥに対するＤＭＲＳアンテナポート設定を含む情報テーブルである。このテーブルにより、ＵＥは、自身の現在のチャネルランクｒ、および、ＤＭＲＳアンテナポートに対する特定のリソース割り当て情報を決定することができる。この場合、ＵＥは、総チャネルランクを決定することはできない。
【０１００】
【表４（ａ）】
0005968997.tif 000017
【０１０１】
【表４（ｂ）】
0005968997.tif 000018
【０１０２】
表４（ａ）および表４（ｂ）から分かるように、基地局は、ＵＥへ、６ビット信号（２５＜４９＜２６）を使用してＤＭＲＳアンテナポートに対する設定情報を通知可能である。その設定情報には、ＵＥにより使用されるリソースにおいてシステムが多重化するレイヤの総数が含まれる。表４（ａ）によると、例えば、ＵＥが４１のビット情報を読み込むと、ＵＥはＳＵ−ＭＩＭＯモードであり、ＵＥに対して送信されるレイヤの数は８であり、使用されるＤＭＲＳアンテナポートは｛０，１，２，３，４，５，６，７｝である。同様に、ＵＥが２０のビット情報を読み込むと、使用されるＤＭＲＳアンテナポートは｛２，３｝であり、ＵＥはハイブリッドＳＵ−ＭＩＭＯ／ＭＵ−ＭＩＭＯモードであり、ＵＥに対して送信されるレイヤの数は２である。
【０１０３】
基地局がＵＥに対して現在のＤＭＲＳ分散パターンを送信すると、このＤＭＲＳ分散パターンにおける全てのＤＭＳアンテナポート上でチャネル評価を行う際に必要となる情報をＵＥが有しているとデフォルトでみなされる。
【０１０４】
【表５】
0005968997.tif 000019
【０１０５】
表５について説明する。例えば、基地局が現在のＤＭＲＳ分散パターンが１であることを示す信号を送信すると、ＵＥはＤＭＲＳアンテナポート｛０，１｝上の情報を有するとデフォルトでみなされる。例えば基地局が現在のＤＭＲＳ分散パターンが２であることを示す信号を送信すると、ＵＥはＤＭＲＳアンテナポート｛０，１，２，３｝上の何れか１つの情報を有するとデフォルトでみなされる。例えば基地局が現在のＤＭＲＳ分散パターンが２であることを示す信号を送信すると、ＵＥはＤＭＲＳアンテナポート｛０，１，２，３，４，５，６，７｝上の何れか１つの情報を有するとデフォルトでみなされる。
【０１０６】
基地局が、ＵＥへ、ＵＥによって使用されるチャネルリソースを介して送信される、全てのユーザに対するレイヤの総数がＲであることを示す信号を送信すると、現在システムによって設定されたＲとＤＭＲＳアンテナポートに対する設定情報（個別のＤＭＲＳアンテナポートによって使用されるＲＥなどを含む）、および、ＲとＤＭＲＳアンテナポート上でチャネル評価を行う際に必要となる関連情報をＵＥが有するとデフォルトでみなされる。
【０１０７】
【表６】
0005968997.tif 000020
【０１０８】
表６について説明する。例えば、基地局が全てのユーザに対する現在の総レイヤ数が１であることを示す信号を送信すると、ＵＥは、ＤＭＲＳアンテナポート上に｛０｝の情報を有する。例えば、基地局が全てのユーザに対する現在の総レイヤ数が２であることを示す信号を送信すると、現在の全てのＵＥに対してシステムが設定したＤＭＲＳアンテナポートは｛０，１｝であり、ＵＥは、ＤＭＲＳアンテナポート上でチャネル評価を行う際に必要となる関連情報を有する。例えば、基地局が全てのユーザに対する現在の総レイヤ数が３であることを示す信号を送信すると、現在の全てのＵＥに対してシステムが設定したＤＭＲＳアンテナポートは｛０，１，２｝であり、ＵＥは、ＤＭＲＳアンテナポート上でチャネル評価を行う際に必要となる関連情報を有する。
【０１０９】
ここで、ＤＭＲＳアンテナポート上の情報は、ＤＭＲＳシーケンス情報、時間−周波数リソース、および、各アンテナポートにより使用される直交シーケンス上の情報を含みうる。
【０１１０】
基地局が全てのユーザに対する総レイヤ数を示す信号を送信するとき、各ユーザは、ＤＭＲＳアンテナポートに対する自身の割り当て情報に基づいて、ＳＵ−ＭＩＭＯモード、ＭＵ−ＭＩＭＯモード、もしくはハイブリッドＳＵ−ＭＩＭＯ／ＭＵ−ＭＩＭＯモードの何れのモードであるかを判断することができる。ＭＵ−ＭＩＭＯモードもしくはＳＵ−ＭＩＭＯ／ＭＵ−ＭＩＭＯモードでは、ＵＥは、他のＵＥのＤＭＲＳアンテナポート上の情報を決定することができる。
【０１１１】
アプローチ５では、例えば基地局がＵＥへ現在の設定情報が２０であることを示す信号を送信すると、表４（ａ）から、ＵＥによって使用されているＤＭＲＳアンテナポートは｛２，３｝であり、全てのユーザに対するレイヤの総数は５であり、従って、全ての他のＵＥにより使用される可能性のあるＤＭＲＳアンテナポートは｛０，１，４｝であると判断できる。
【０１１２】
上記のアプローチ５によれば、基地局がＵＥへ現在の設定情報が２０であることを示す信号を送信すると、表４（ｂ）から、ＵＥに使用されるＤＭＲＳアンテナポートは｛２，３｝であり、全てのユーザに対するレイヤの総数は３であり、従って、全ての他のＵＥによって使用される可能性のあるＤＭＲＳアンテナポートは｛０，１，４，５，６，７｝であると判断できる。
【０１１３】
マルチユーザモードでＵＥに使用される時間−周波数チャネルリソースが互いに完全には重複していなければ、全てのＵＥに対する全ての周波数帯域において、システムから全てのＵＥに対して送信されるレイヤの総数の最大値はＲｍａｘであり、システムから個々のＵＥに通知されるレイヤの総ランクもしくは総数Ｒは、Ｒｍａｘとなる。これにより、システムが個々のＵＥにＤＭＲＳ分散パターンを通知すると、ＤＭＲＳ分散パターンはＲｍａｘと対応する。
【０１１４】
ＵＥは、自身の周波数帯域において自身の未使用ＤＭＲＳアンテナポートに対する受信電力もしくは相関関係を検出し、ＤＭＲＳアンテナポートが他のＵＥに割り当てられているか否かを判断する。ＤＭＲＳアンテナポートが他のＵＥに割り当てられていると判断されると、ＵＥは、ＤＭＲＳアンテナポートに対応する他のＵＥからの干渉を抑制もしくはキャンセルするためにＤＭＲＳアンテナポート上のチャネル評価を行う。
【０１１５】
図１８に示すように、ＭＵ−ＭＩＭＯモードの３つのＵＥ（ＵＥ１、ＵＥ２、ＵＥ３）がそれぞれ｛帯域１、帯域２、帯域３、帯域４｝、｛帯域２、帯域３｝および｛帯域３、帯域４｝の周波数帯域リソースが割り当てられる。このようにリソースを割り当てられるとき、それぞれの周波数帯域における総ランク（もしくはレイヤ数）が表７に示されており、それによれば帯域３においてＲｍａｘ＝３である。
【０１１６】
【表７】
0005968997.tif 000021
【０１１７】
システムがＵＥ１、ＵＥ２、およびＵＥ３に対して、現在のチャネルの総ランクが３であることを示す信号を送信すると、表６より、現在の全てのユーザに使用される可能性のあるＤＭＲＳアンテナポートは｛０，１，２｝であることが分かる。表４（ａ）によると、ＵＥ１、ＵＥ２、およびＵＥ３に対するＤＭＲＳアンテナポート設定情報はそれぞれ、８、９および１０とみなされる。この場合、ＵＥ１は、全ての他のＵＥに使用されるＤＭＲＳアンテナポートは｛０，１｝であると判断でき、それゆえ、周波数帯域の帯域１、帯域２、帯域３および帯域４において順次、受信電力などのパラメータに基づいて他のＵＥによるＤＭＲＳアンテナポート｛０，１｝の使用を決定することができる。正しい決定であれば、ＵＥ１は、３つの周波数帯域（帯域２、帯域３および帯域４）において、他のＵＥからの干渉を抑制もしくはキャンセルすることができる。
【０１１８】
あるいは、システムがＵＥ１、ＵＥ２およびＵＥ３に対して、現在のＤＭＲＳ分散パターンが２であることを示す信号を送信すると、表５より、現在の全てのＵＥに使用される可能性のあるＤＭＲＳアンテナポートは｛０，１，２，３｝であることが分かる。表４（ｂ）によると、ＵＥ１、ＵＥ２およびＵＥ３に対するＤＭＲＳアンテナポート設定情報はそれぞれ、８、９および１０とみなされる。この場合、ＵＥ１は、全ての他のＵＥに使用されるＤＭＲＳアンテナポートは｛０，１，３｝であると判断でき、それゆえ、周波数帯域の帯域１、帯域２、帯域３および帯域４において順次、受信電力などのパラメータに基づいて他のＵＥによるＤＭＲＳアンテナポート｛０，１，３｝の使用を決定することができる。正しい決定であれば、ＵＥ１は、３つの周波数帯域（帯域２、帯域３および帯域４）において、他のＵＥからの干渉を抑制もしくはキャンセルすることができる。他のＵＥも、同様の処理が可能である。
【０１１９】
以上、実施形態を参照して本発明を説明した。本発明の範疇を外れることなく、様々な修正、変更、変化がなされてもよい。従って、本発明は上述した実施形態に限定されるものではなく、添付の特許請求の範囲により規定される
【図１】
0005968997.tif 000022
【図２】
0005968997.tif 000023
【図３】
0005968997.tif 000024
【図４】
0005968997.tif 000025
【図５】
0005968997.tif 000026
【図６】
0005968997.tif 000027
【図７】
0005968997.tif 000028
【図８】
0005968997.tif 000029
【図９】
0005968997.tif 000030
【図１０】
0005968997.tif 000031
【図１１】
0005968997.tif 000032
【図１２】
0005968997.tif 000033
【図１３】
0005968997.tif 000034
【図１４】
0005968997.tif 000035
【図１５】
0005968997.tif 000036
【図１６】
0005968997.tif 000037
【図１７】
0005968997.tif 000038
【図１８】
0005968997.tif 000039